【手続補正書】
【提出日】平成17年11月28日(2005.11.28)
【手続補正１】
【補正対象書類名】明細書
【補正対象項目名】００１５
【補正方法】変更
【補正の内容】
【００１５】
柔軟性を有するシート部材には、例えば紙、木材、合成樹脂性フィルム、及び紙等に合成樹脂材がラミネートされたシート材、或いは合成樹脂性フィルム等で作られたチューブ状のシート材を用いる。
底壁２及び各側壁３ａ、３ｂを合成樹脂からなるフィルム状シート材で形成すると、底壁２及び各側壁３ａ、３ｂは柔軟になり型崩れし易くなる。この型崩れを少なくするために、シート材を二重にして間に厚紙等を介在させてトレーの型崩れを少なくする。また、完成したトレー内の底壁２に中敷を敷設し、或いは各側壁３ａ、３ｂの側面に厚紙等からなる補強部材を貼付、または側壁を所定の幅長で１乃至複数折り畳みこの部分を固着して補強することによって型崩れを少なくする。
また、簡易トレー１を合成樹脂性フィルム等で作られたチューブ状シート材で形成する場合は、底壁２又は／及び各側壁３ａ、３ｂに所定量の空気を封入する。この空気の封入により、トレー１の型崩れが少なくなり、且つ底壁２及び各側壁３ａ、３ｂは緩衝部材となるので、この緩衝部材によりトレー内の収納物を保護することが可能になる。
更に、底壁２の先端部２ａ〜２ｄが各側壁３ａ、３ｂの上端へ突出しているので、この部分に任意の表示、例えば収納物の品名、価格等を付してもよい。この表示は、シート材に予め印刷して置いても、或いは予め印刷等して置いた札類を貼付してもよい。
【手続補正２】
【補正対象書類名】明細書
【補正対象項目名】００１６
【補正方法】変更
【補正の内容】
【００１６】
この簡易トレー１は、例えば以下の方法で製作する。
図２（ａ）に示すように、所定の長さ及び幅を有するシート材、例えば矩形状シート材を用いその中心部から二つ折りして重ねる。次いで、この重ねたシート片１ａ、折り目ａ（なお、この折り目ａは、矩形状シート材の中心線でもある）から上方へ所定の長さｙ離れた位置での水平線に沿って、長手方向の両端からそれぞれ所定の長さに亘り切り込みｘ、ｘ'を入れて、底壁２と側壁３とをそれぞれの両端部付近で分断する。そして、側壁３の両端部において対向している部分、すなわち各端部３ｃと３ｄ、各端部３ｅと３ｆとをそれぞれ側壁面を接合させて適宜の固着手段を用い固着し、固着部５、６を形成する。折り目ａから各切り込みｘ、ｘ'までの長さｙは、簡易トレー１の底壁２の幅長を形成するもので、この長さｙが長くなれば底壁２の幅長は広くなり、逆に短くなればこの幅長は短くなり、この長さはトレーの用途に応じて任意の長さに選定される。また、各切り込みｘ、ｘ'の長さは、ほぼ同一長であり、この長さも前記の長さｙと同様に任意の長さに選定される。
【手続補正３】
【補正対象書類名】明細書
【補正対象項目名】００１８
【補正方法】変更
【補正の内容】
【００１８】
各側壁３ａ、３ｂの両端部を固着した後、二つ折りのシート片１ａの各側壁３ａ、３ｂをそれぞれ引き離して間に開口部を形成しながら、底壁２の各先端部２ａと２ｂ、２ｃと２ｄを各切り込みｘ、ｘ'部分の下方から、すなわち図（ｂ）に示す各矢印Ａ、Ａ'の方向に底壁２の各先端部２ａ、２ｂ及び２ｃ、２ｄを屈曲させて開口部へ挿入し、各先端部２ａと２ｂ、２ｃと２ｄの先端が固着部５、６近傍の側壁３ａ、３ｂの上方へ位置するように引っ張り上げ、同時に、折り目部分ａを拡げ底壁２が平坦になるようして成形し、図（ｃ）に示す簡易トレーを完成させる。
【手続補正４】
【補正対象書類名】明細書
【補正対象項目名】００２０
【補正方法】変更
【補正の内容】
【００２０】
前記簡易トレー１は、底壁及び側壁を形成するシート片１ａの形状が、二つ折りの状態で、長手方向において底壁２と側壁３の長さがほぼ同一長であったが、この長さを変えて、底壁２の長さを側壁３の長さより長くしたシート材を使用しても形成できる。
図３は、本発明の簡易トレーの第２の実施形態であって、同図（ａ）はシート材の側面図、同図（ｂ）は簡易トレーの外観斜視図である。
この簡易トレー１'は、前記簡易トレー１を製作するシート片１ａと異なり、二つ折りした状態において、底壁２'の長さが側壁３'の長さより長くなったシート片１ａ'を使用して製作するものである。このシート片１ａ'を用いても製法は図２に示す製法と同じであるので、簡易トレー１'の各部分の構造は、簡易トレー１と同一符号を用いこの符号にダッシュを付し、その説明を省略する。
このシート片１ａ'を用いて製作した簡易トレー１'は、前記簡易トレー１に比べて、底壁２'の各先端部２ａ'〜２ｄ'の長さが長くなって、各側壁３ａ'、３ｂ'の両端部上方へ突出することになる。
したがって、底壁２'の長さを側壁３'の長さより長くすることにより、先端部２ａ'〜２ｄ'の長さが長くなるので、簡易トレー１'内に物が収納されたとき、その収納物の重さで各先端部２ａ'と２ｂ'、２ｃ'と２ｄ'が固着部５'、６'付近の各側壁３ａ'、３ｂ'の上端からすり抜けることがなくなる。また、長くなった各先端部２ａ'〜２ｄ'を利用することにより、各先端部２ａ'〜２ｄ'に任意の印刷、例え収納物の品名、価格等を付すことが可能になる。
【手続補正５】
【補正対象書類名】明細書
【補正対象項目名】００２２
【補正方法】変更
【補正の内容】
【００２２】
この簡易トレー１０は、例えば以下の方法で製作する。
簡易トレー１０は、例えばチューブ状シート材を所定の幅で切断したシート片１０ａを用いる。このチューブ状シート片１０ａの形状は、図５（ａ）に示すように、側面の外形がほぼ矩形状をなし、その長手方向の両端部は固着され、長手方向と直交する部分は固着されておらずシート材が単に接触している。次いで、シート片１０ａの長手方向の両端部から所定の長さｚ、ｚの位置で長手方向と直交する線に沿ってシート片の下端部から上端部へ向けて所定の長さの切り込みｘ、ｘ'を入れ、切り込み部ｘ、ｘ'間のシート片の下端部を固着する。
次いで、図５（ｂ）に示すように側壁１３ａ、１３ｂの接触を離してチューブを開口し、図５（ｃ）に示すようにシート片１０ａを上下転倒させる。この転倒状態で長手方向の両端部から開口部を矢印Ａ、Ａ'に沿って底部１２の固着部１５が下方へ移動し側壁１２ａ〜１２ｄの内壁が外側に移動するように引っくり返し、底部１２の形状を平坦に成形すると共に、側壁の切り込みが設けられた部分を底壁１２の上面に当接させ、折り目部分ａ、ａ'を拡げ底部１２が平坦になるようにして成形し、図（ｄ）に示す簡易トレー１０を完成させる。
【手続補正６】
【補正対象書類名】明細書
【補正対象項目名】００２３
【補正方法】変更
【補正の内容】
【００２３】
この簡易トレー１０は、切り込み部ｘ、ｘ'がシート片の長手方向に対してほぼ直角であったが、この角度を変え、例えば長手方向に対して所定の角度、例えば逆ハの字状に開いて所定長さの切り込み部を設け、底壁部の長さを変えたシート片でも形成できる。
図６は、本発明の簡易トレーの第４の実施形態であって、同図（ａ）はシート片の側面図、同図（ｂ）は簡易トレーの外観斜視図である。
この簡易トレー１０'を製作するためのシート片１０ａ'は、前記簡易トレー１０を製作するシート片１０ａと異なり、二つ折りした状態において、切り込み部が長手方向に対して所定の角度、例えば逆ハの字状に開くようにして所定長さの切り込み部ｘ、ｘ'を設け、底壁１２'の両端先端部１２ａ'と１２ｂ'、１２ｃ'と１２ｄ'とが中央部より長くなっている。このシート片１０ａ'を用いても製法は図５に示す製法と同じであるので、簡易トレー１０'の各部分の構造は、簡易トレー１０と同一符号を用いこの符号にダッシュを付し、その説明を省略する。この簡易トレー１０'によれば、底壁１２'の各先端部１２ａ'と１２ｂ'、１２ｃ'と１２ｄ'が中央部より長くなった分だけ長く底壁内面に当接し、このトレーに収納物が収納された際にはトレーが安定する。
【手続補正７】
【補正対象書類名】明細書
【補正対象項目名】００２４
【補正方法】変更
【補正の内容】
【００２４】
前記簡易トレーは、何れもシート材を所定の長さに切断したシート片を折り曲げ、所定箇所を固着することによって製作しているが、これらのシート片は、チューブ状シート材を使用することにより複数のシート片を効率よく作成することができる。図７は、このシート片の作製方法を示す工程図である。
先ず、予めチューブ状に製作されたシート材（図示省略）を用い、このシート材から２枚のシート片が形成される大きさのチューブ状シート片１００を切断する。図（ａ）は、この切断したチューブ状シート片の１つを示している。このチューブ状シート片１００は、側面形状がほぼ長方形をなしている。このチューブ状シート片１００を用い、長手方向の両端部１００ｂ、１００ｄにそれぞれ所定長さの切り込みｘを入れる。この切り込みｘは、上下端面１００ａ、１００ｃからそれぞれ所定の距離だけ離れ、長手方向の軸とほぼ平行に、点線Ｌ１〜Ｌ４に沿って任意の切断手段１５０により切断して形成する。次いで、図（ｂ）に示すように、両端部の中央部１００ｂ'、１００ｄ'を適宜の固着手段１５１を用いてそれぞれ固着する。図（ｃ）には、固着部１０１、１０２が形成されたチューブ状シート片１００を示し、このチューブ状シート片１００からは、図２、図５に示す何れのシート片１ａ、１０ａをも製作できる。
【手続補正８】
【補正対象書類名】明細書
【補正対象項目名】００２５
【補正方法】変更
【補正の内容】
【００２５】
図８は、チューブ状シート片１００を使用し、一方のシート片１ａを形成する方法を示し、図９は、他のシート片１０ａを形成する方法を示している。
図８（ａ）は、図７の工程で製作したチューブ状シート片１００を示し、このシート片１００を長手方向のほぼ中央部の点線Ｌ５で示す線に沿って適宜の切断手段１５０を用いて切断する。
この切断により、チューブ状シート片１００は、上下に分断され２枚のシート片１００'を形成する。（図８（ｂ）、（ｃ））。これらのシート片１００'は、２枚のシート片１ａとなる。
また、図９（ａ）、（ｂ）に示すように、長手方向と直交する方向、点線Ｌ６に沿って切断することにより、シート片１０ａを同時に２個形成できる。（図９（ｃ））。
【手続補正９】
【補正対象書類名】明細書
【補正対象項目名】図面の簡単な説明
【補正方法】変更
【補正の内容】
【図面の簡単な説明】
【図１】
本発明の簡易トレーの第１実施形態を示す斜視図。
【図２】
図１の簡易トレーの製法を示す概略図。
【図３】
本発明の簡易トレーの第２の実施形態であって、同図（ａ）はシート片の側面図、同図（ｂ）は簡易トレーの外観斜視図。
【図４】
本発明の簡易トレーの第３の実施形態を示す斜視図。
【図５】
図４の簡易トレーの製法を示す概要図。
【図６】
本発明の簡易トレーの第４の実施形態であって、同図（ａ）はシート片の側面図、同図（ｂ）は簡易トレーの外観斜視図。
【図７】
シート片の作製方法を示す工程図。
【図８】
図７のシート片を使用し、一方のシート片１ａを形成する方法を示す工程図。
【図９】
図７のシート片を使用し、他のシート片１０ａを形成する方法を示す工程図。
【符号の説明】
１、１'、１０、１０'  簡易トレー
１ａ、１ａ'、１０ａ、１０ａ'  シート片
２、２'、１２、１２'  底壁
２ａ〜２ｄ、２ａ'〜２ｄ'、１２ａ〜１２ｄ  先端部
３ａ〜３ｆ、３ａ'〜３ｆ'、１３ａ、１３ｂ、  側壁
５、６、５'、６'  固着部
ｘ、ｘ'  切り込み
ｙ  長さ
１００  チューブ状シート片